(57)【要約】【課題】空気の流動を防ぎ、連打時のタイムラグをなくすことができる安全グローブを提供する。【解決手段】本発明による安全グローブは、筒状体と筒状体の中に挿入される中空弾性体を含み、前記筒状体は、前記筒状体の上部開口部の蓋となる蓋部と、前記筒状体の下部開口部を接着する接着部を有し、前記蓋部は指挿入孔を有する。【選択図】図１
2008295855.tif 000002
【特許請求の範囲】
【請求項１】
筒状体と前記筒状体内に挿入される中空弾性体を含み、
前記筒状体は、前記筒状体の上部開口部の蓋となる蓋部と、
前記筒状体の下部開口部を接着する接着部を有し、
前記蓋部には指挿入孔を有する、
安全グローブ。
【請求項２】
前記筒状体は、握り部を有し、
前記蓋部は、前記握り部の下から差し込まれ、前記握り部を挟みこんで蓋を形成する折り返し部を有する、
請求項１記載の安全グローブ。
【請求項３】
前記筒状体は、前記筒状体の表面側に位置する第１中空体保持部と、
前記筒状体の裏面側に位置する第２中空体保持部を有する、
請求項１または２記載の安全グローブ。
【請求項４】
前記筒状体は、前記中空弾性体の位置を決める位置決め部を有する、
請求項１ないし３のいずれか一項に記載の安全グローブ。
【請求項５】
前記中空弾性体は、気体を注入、保持する注入口を有する、
請求項１ないし４のいずれか一項に記載の安全グローブ。
【請求項６】
前記接着部は、手首に接合、離反する手首ベルトを有する、
請求項１ないし５のいずれか一項に記載の安全グローブ。
【請求項７】
前記手首ベルトは、親指側にベルト片が来るように前記接着部に形成する、
請求項６記載の安全グローブ。
【発明の詳細な説明】
【技術分野】
【０００１】
本発明は、空手、格闘技等の安全グローブに関する。
【背景技術】
【０００２】
従来から、空手、格闘技等のグローブには打撃時の衝撃緩和のために、綿、スポンジを利用したものや、グローブのクッション材中にゴム等の材質で空気層形成部を有するもの（特許文献１参照）、ＥＶＡ製箱型空気室（エアーテック）をグローブ中に入れ、エアーテックの両サイドに空気抜け穴を設け、空気の流動で衝撃を削減するもの（特許文献２参照）などがあった。
【０００３】
しかしながら、上記のような、綿、スポンジを利用したものは、例えば、空手や格闘技の打撃練習時のグローブとしては打撃の衝撃を分散することが不十分なため、衝撃を強く受けてしまい、プレーをするのにダメージが大きいという問題があった。また、空気を流動させて衝撃を吸収させるものは、打撃の衝撃を受けた空気のクッションが元の状態に戻るのにタイムラグがあり、連打を必要とする格闘技の練習には向かないという問題があった。
【０００４】
このため、クッション部に風船体を使用することで空気の圧力を一定とし、打撃の衝撃を風船の弾力によって逃すとともに、空気の流動を減少させる安全グローブが提案されている（特許文献３参照）。
【特許文献１】実開平３−６４６８２号公報
【特許文献２】実用新案登録第３０８６２４５号公報
【特許文献３】実用新案登録第３１２４９９２号公報
【発明の開示】
【発明が解決しようとする課題】
【０００５】
上述のようなクッション部に風船体を使用する安全グローブによって、空気の流動を減少させ、格闘技の打撃練習の際、連打時のタイムラグを減らすことが可能となったが、連打時のタイムラグをなくし、実戦時の打撃の感覚を身につけるためには、さらに空気の流動を減少させ、打撃吸収能力を高めることが必要となる。
【０００６】
本発明は、筒状体と中空弾性体を含む安全グローブにおいて、蓋部、握り部、中空体保持部を形成することによって、打撃の際の空気の流動をさらに減少させ、安全グローブの性能を向上させることを目的とする。
【課題を解決するための手段】
【０００７】
上記目的を達成するため、本発明によれば、筒状体と前記筒状体内に挿入される中空弾性体を含み、前記筒状体は、前記筒状体の上部開口部の蓋となる蓋部と、前記筒状体の下部開口部を接着する接着部を有し、前記蓋部には指挿入孔を有する安全グローブを提供する。
【０００８】
また、前記筒状体は、握り部を有し、前記蓋部は、前記握り部の下から差し込まれ、前記握り部を挟みこんで蓋を形成する折り返し部を有する安全グローブとしてもよい。
【０００９】
また、前記筒状体は、前記筒状体の表面側に位置する第１中空体保持部と、前記筒状体の裏面側に位置する第２中空体保持部を有する安全グローブとしてもよい。
【００１０】
また、前記筒状体は、前記中空弾性体の位置を決める位置決め部を有する安全グローブとしてもよい。
【００１１】
また、前記中空弾性体は、気体を注入、保持する注入口を有する安全グローブとしてもよい。
【００１２】
また、前記接着部は、手首に接合、離反する手首ベルトを有する安全グローブとしてもよい。
【００１３】
また、前記手首ベルトは、親指側にベルト片が来るように前記接着部に形成する安全グローブとしてもよい。
【発明の効果】
【００１４】
本発明によれば、筒状体に中空弾性体を挿入するという簡単な構造で、空気の流動を防ぎ、連打時のタイムラグをなくすことができる安全グローブを提供することができる。
【発明を実施するための最良の形態】
【００１５】
以下、本発明の実施例について図面を参照して説明する。
【００１６】
図１は、本発明の第１の実施例に係る安全グローブ１０を装着した状態を示す。この安全グローブ１０は、空手や格闘技の打撃練習時に使用するための安全グローブである。
【００１７】
安全グローブ１０は、筒状体であり、筒状体内に中空弾性体が挿入される。打撃練習時には、中空弾性体に気体、例えば空気（以下、「空気」を例として説明する。）を注入して使用する。安全グローブ１０を手の甲側に装着すると、手の甲側の指の先から手首までをすっぽりと覆うことができる形状となっている。
【００１８】
筒状体は、筒表面部と筒裏面部を縫い合わせた構成となっており、手の甲側に直接あたる筒裏面部は、合成ゴム、例えばネオプレン（登録商標）等の、ウェットスーツに用いられるポリクロロプレンが用いられている。筒表面部は、上部１２が合成ゴムからなり、筒表面下部１３には、合成皮革が用いられている。
【００１９】
筒表面上部開口縁には蓋部１１が取り付けられており、蓋部１１は合成皮革が用いられている。蓋部１１は、筒裏面部に取り付けられている握り部１５の下から差し込まれ、握り部１５を挟んで折り返し、接着することにより、筒の蓋を形成する。
【００２０】
握り部１５には合成皮革が用いられ、図３に示すように、親指以外の指の第３関節まではめ込むことができる形状となっている。このため、親指は、自由自在に動かすことができる。
【００２１】
筒状体の接着部１６には、手首ベルト１７が連接され、手首ベルト１７には、例えば、ベルクロファスナー（登録商標）、マジックテープ（登録商標）等の着脱自在な、接着、固定手段（以下「接着固定手段」という。）が取り付けられている。このため、手首ベルト１７を手首に巻き、この接着固定手段で接着することにより、安全グローブ１０を手首に固定することができる形状となっている。
【００２２】
手首ベルト１７は親指側にその片が来るように取り付けられているため、装着する側と反対側の手、例えば右手に安全グローブ１０を装着する場合には、左手で手首ベルトを右手首に巻き付けることができる。すなわち、片手で簡単に装着することができる。
【００２３】
図２は、手を外した状態での本実施例に係る安全グローブ１０を示す。図示のように、安全グローブ１０は筒状体であり、筒状体の上部開口部から中空弾性体１９を挿入するという簡単な構造となっている。筒状体の下部開口部から中空弾性体１９に空気を注入することができる。筒下部開口部には接着部１６があり、接着部１６には、接着固定手段が取り付けられている。これにより、中空弾性体１９を包含し、筒下部開口部を閉じることができる。
【００２４】
中空弾性体１９は、弾性体、例えばポリ塩化ビニール、合成ゴムからなり、空気を注入することにより膨らませる。中空弾性体１９には、注入口２０が設けられている。注入口２０は、球技用ボールの、いわゆる「へそ」、あるいは自転車用タイヤのムシゴムのような構造で、空気を注入した後は、注入口が密閉される構造のものである。中空弾性体１９には、この注入口２０から空気を注入する。この注入口２０により、中空弾性体１９に注入された空気が保持されることになる。
【００２５】
中空弾性体１９の空気圧は、初心者からプロまで、あるいは子ども、女性など、個人個人にあったレベルの空気圧に調節することができる。例えば、中級者であれば、６０ｈＰａ程度が望ましい圧力であり、女性であれば、４０ｈＰａ程度が望ましい圧力である。
【００２６】
中空弾性体１９は弾性体であるため、衝撃により圧力がかかった場合でも破裂することはない。また中空弾性体１９の空気圧は全体に一定となるため、衝撃を分散して吸収する。また、個人個人のレベルにあった空気圧に調節することにより、打撃の衝撃を効果的に吸収することが可能となる。
【００２７】
筒状体の表面部および裏面部の下部開口部には、それぞれ位置決め部１８が形成されている。すなわち、図５に示すように、筒状体の表面部下部１３の縁部１８ａは、絞られた形状となっている。また図６に示すように、筒状体の裏面部下部の両端１８ｂは、外側から中側にわずかに傾斜して縫い込まれている。この位置決め部１８により、中空弾性体１９を筒状体に挿入する際に、中空弾性体１９の位置を筒状体の適切な位置に決定することができる。そしてこの適切な位置で、中空弾性体１９に空気を注入することができる。図７に示すように、空気を注入された中空弾性体１９は、筒状体の適切な位置に固定される。
【００２８】
また、図５に示すように、筒状体の表面部の形状は、上下開口部分の幅が狭く、中央部分にいくに従って幅が広くなるラグビーボールの両端を切ったような形状をしている。このため中空弾性体１９を筒状体に入れ、中空弾性体１９に空気を注入すると、中空弾性体１９が安全グローブ１０の筒状体に密着して膨れていくため、衝撃を受けた場合でも、中空弾性体１９がずれることを防ぐことができる。
【００２９】
安全グローブ１０は、筒状体の上部開口部を閉じるための蓋部１１が筒状体の上部に取り付けられている。蓋部１１には、折り返し部１１ａと２つの孔を有する指挿入孔１１ｂが形成されている。
【００３０】
折り返し部１１ａは、蓋部１１の縁部１１ａ１と蓋部１１の中央部１１ａ２を有し、それぞれ固定接着手段が取り付けられている。蓋部１１は、折り返し部１１ａを筒状体の裏面部の握り部１５の下から差し込み、折り返して、握り部１５を挟みこんで、引っ張り上げる。そして蓋部１１の縁部１１ａ１と蓋部１１の中央部１１ａ２の固定接着手段により、固定接着する。これにより、安全グローブ１０の蓋が形成され、筒上部開口部を閉じることができる。
【００３１】
安全グローブ１０の筒状体の中下部分には、握り部１５が取り付けられている。握り部１５は、合成皮革が用いられ、筒状となっていて、手のひらで握る部分には、合成皮革片や布などの充填物が入っている。そのため、丸い棒状の厚みがある形状となっており、握りやすくなっている。
【００３２】
握り部１５は、蓋部１１の折り返し部１１ａが差し込まれ、折り返されて、握り部１５を挟み込む。安全グローブ１０を装着する場合には、握り部１５の下から親指以外の指の第３関節までをはめ込む。図３が、安全グローブを装着し、裏側からみた図である。
【００３３】
握り部１５は、安全グローブ１０の筒裏面部の中部より少し下、例えば、筒状体上部開口から約１０ｃｍ、筒状体下部に位置する位置決め部１８から約６ｃｍのところに取り付けられている。このように、握り部１５は、筒状体の下部近くに取り付けられているため、折り返し部１１ａを握り部１５の下から差し込み、握り部１５を挟み込み、引っ張り上げて、安全グローブ１０の蓋を形成するときに、筒状体の上部開口部が押さえ込まれる形になる。これにより、筒状体の上部開口部からの空気の流動を防ぐことができる構造となっている。
【００３４】
また、図４に示すように、握り部１５に手をはめ込み、図３に示すように指挿入孔に指を入れて、安全グローブ１０を握り込む場合に、握り部１５が筒の下部に位置することにより、安全グローブ１０を手首に巻き込むように、手に密着して固定することができる。このため、打撃による衝撃を受けた場合にも安全グローブ１０が手からずれることがない。
【００３５】
安全グローブ１０の筒部には、筒表面下部に第１中空体保持部１３、筒裏面中下部に第２中空体保持部１４が形成されている。第１中空体保持部１３は、筒状体表面側の中央部から下開口部にわたり、合成皮革が用いられることにより形成されている。第２中空体保持部１４は、筒状体裏面側中下部、すなわち握り部１５のあたりに、例えば縦４ｃｍ、横９ｃｍの長方形の合成皮革が、筒の中に取り付けられている。手の甲側に直接あたる表面側は合成ゴムからなるため、二重構造となっている。
【００３６】
図４は、安全グローブ１０を装着し、握りしめた状態の図である。空手では、正拳、裏拳など様々な攻撃方法があり、例えば正拳の場合にはＡ方向、裏拳の場合にはＢ方向、また、斜め方向Ｃへの攻撃などもある。
【００３７】
Ａ方向に攻撃を行う正拳では、安全グローブ１０の筒状体上部１２に衝撃があたり、中空弾性体１９が変形して衝撃が吸収される。この時、中空弾性体１９は変形して凹み、中空弾性体１９の空気は後ろの手首方向に流動しようとする。しかしながら、合成皮革は、膨張圧力等の引張力が作用しても、ゴムのように伸びて変形することはないので、中空弾性体１９は、第１中空体保持部１３と第２中空体保持部１４により保持され、変形を阻止される。これにより中空弾性体１９内の空気の流動を防ぐことができる。
【００３８】
また、Ｂ方向に打撃を行う裏拳では、安全グローブ１０の筒状体中央部１３に衝撃があたり中空弾性体１９が変形して衝撃が吸収される。この時、中空弾性体１９は、手の甲側に向かって凹み、空気は流動しようとするが、第１中空体保持部１３、第２中空体保持部１４により中空弾性体１９は保持され、変形を阻止される。これにより空気の流動を防ぐことができる。
【００３９】
このように、打撃時に多方向から衝撃を受けた場合でも、中空体保持部により中空弾性体の変形を防ぐことができるため、空気の流動を最小減に抑えることができる。
【００４０】
また、思い切って打撃を加えても、中空弾性体は変形して、手の拳骨等が実際的に直接相手の顔等にあたることはないので、手加減をしながら練習を行う必要はなく、安全状態を維持しながら、実践さながらの練習を行うことができる。
【図面の簡単な説明】
【００４１】
【図１】本発明の実施例に係る安全グローブを装着した状態を示す斜視図である。
【図２】本発明の実施例に係る安全グローブの見取図である。
【図３】本発明の実施例に係る安全グローブを装着した状態を裏側から見た図である。
【図４】本発明の実施例に係る安全グローブを装着し、拳を握った状態を示す図である。
【図５】本発明の実施例に係る安全グローブの正面図である。
【図６】本発明の実施例に係る安全グローブの裏面図である。
【図７】本発明の実施例に係る安全グローブの接着部の図である。
【符号の説明】
【００４２】
１０    安全グローブ
１１    蓋部
１１ａ  折り返し部
１１ｂ  指挿通孔      
１３，１４    中空体保持部
１５    握り部
１６    接着部
１７    手首ベルト
１８    位置決め部
１９    中空弾性体
２０    注入口
【図１】
2008295855.tif 000003
【図２】
2008295855.tif 000004
【図３】
2008295855.tif 000005
【図４】
2008295855.tif 000006
【図５】
2008295855.tif 000007
【図６】
2008295855.tif 000008
【図７】
2008295855.tif 000009